(57)【要約】      （修正有）【課題】襟回りの排出口を着用した状態でも簡易に自由に調節でき、背中と首回りを効率よく涼しくする作業服を提供する。【解決手段】下部に空気取り込み口６が開口した後身頃３を有し、襟ぐり下方に設けられた調節紐で排出口を形成する作業服１であって、調節紐の一方の端部が固定されており、調節紐が通され、弾性力により前記調節紐を把持し、操作部の操作により開放するコードストッパーが設けられている。また、後身頃の襟ぐりから下方に向けて、一対のダーツ８が設けられ、後身頃の襟ぐり内側中心部には前記調節紐を係止する紐通し環が設けられ、前記調節紐は前記紐通し環に通され、前記調節紐の両端をコードストッパーに通され、前記ダーツの上部において、調節紐の端部を間に挟んで縫着されている。【選択図】図２
2020094299.tif 000002
【特許請求の範囲】
【請求項１】
下部に空気取り込み口が開口した後身頃を有し、襟ぐり下方に設けられた調節紐で排出口を形成する作業服であって、前記調節紐の一方の端部が固定されており、前記調節紐が通され、弾性力により前記調節紐の任意の位置を把持し、操作部の操作により開放するコードストッパーが設けられていることを特徴とする作業服。
【請求項２】
下部に空気取り込み口が開口した後身頃を有し、襟ぐり下方に設けられた調節紐で排出口を形成する作業服であって、後身頃の襟ぐりから下方に向けて、一対のダーツが設けられ、後身頃の襟ぐり内側中心部には前記調節紐を係止する紐通し環が設けられ、前記調節紐は前記紐通し環に通され、前記調節紐の両端をコードストッパーに通され、前記ダーツの上部において、調節紐の端部を間に挟んで縫着されていることを特徴とする作業服。
【請求項３】
請求項２の作業服において、調節紐は棒状のゴム紐であることを特徴とする作業服。
【請求項４】
下部に空気取り込み口が開口され、前記空気取り込み口に取り付けられたファンを用いて内側に空気を取り込み、襟ぐりの左右の間隔を調節紐により短縮して前記襟ぐりを弛ませて前記襟ぐりと前記調節紐の間に排出させる作業服において、
前記調節紐は前記襟ぐりに紐通し穴が設けられ、前記紐通し穴から襟の外側に出された前記調節紐の自由端が前記紐通し穴から内側に侵入することを抑止するコードストッパーが設けられていることを特徴とする作業服。
【発明の詳細な説明】
【技術分野】
【０００１】
本発明は、外部からファンにより衣服内に空気を取り込み、身体を冷却する作業服に関するものである。
【背景技術】
【０００２】
作業員を保護する熱中症対策の一つとして最近はファン付上着が利用されている。ファンは、上着の後身頃の腰付近に設けられた開口、若しくは、背中の裾部の位置に脱着自在に取付けられており、取り込まれた外気は首回りの襟口、若しくは袖口から排出され、身体を冷却する。首回りの襟口に大きな排出口を設ける機構として、襟近辺に首当帯を設けている。内側から襟の左右の間隔を短縮して襟を弛ませる首当帯を有し、首当帯により襟を短縮させた状態で、首当帯が着用者の首に接すると、襟と首当帯との間に排出口が確保され、この排出口を利用して背中から上に向かって流れた空気を排出する（特許文献１参照）。幅方向の中心線の両側に排出機構を設けたものも考えられている（特許文献２参照）。
【先行技術文献】
【特許文献】
【０００３】
【特許文献１】特許第６２００１１３号公報
【特許文献２】特許第６２３３６７４号公報
【発明の概要】
【発明が解決しようとする課題】
【０００４】
首当帯は、襟と首当帯との間に排出口を確保するために、これを短縮して用いるものであるが、使用者は首当帯を目にしてもその機能に気付かず、使用されないままになることが多い。また、首当帯を調節するのには、ボタンを嵌めたり外したりすることが必要であって手間で有り、かつ着用者は自由な長さに調整することができない。また、作業着を着用したままで、調節可能なものはない。
そこで、本発明は、襟回りの排出口を簡易に調節できる作業着を提供することを目的とする。
【課題を解決するための手段】
【０００５】
上記目的を達成するために、本発明の作業服は、下部に空気取り込み口が開口した後身頃を有し、襟ぐり下方に設けられた調節紐で排出口を形成する作業服であって、前記調節紐の一方の端部が固定されており、前記調節紐が通され、弾性力により前記調節紐を把持し、操作部の操作により開放するコードストッパーが設けられている。
また、本発明の作業服は下部に空気取り込み口が開口した後身頃を有し、襟ぐり下方に設けられた調節紐で排出口を形成する作業服であって、後身頃の襟ぐりから下方に向けて、一対のダーツが設けられ、後身頃の襟ぐり内側中心部には前記調節紐を係止する紐通し環が設けられ、前記調節紐は前記紐通し環に通され、前記調節紐の両端をコードストッパーに通され、前記ダーツの上部において、調節紐の端部を間に挟んで縫着されている。
さらに、本発明の作業服は、下部に空気取り込み口が開口され、前記空気取り込み口に取り付けられたファンを用いて内側に空気を取り込み、襟ぐりの左右の間隔を調節紐により短縮して前記襟ぐりを弛ませて前記襟と前記調節紐の間に排出させる作業着において、
前記調節紐は前記襟ぐりに紐通し穴が設けられ、前記紐通し穴から襟の外側に出された前記調節紐の自由端が前記紐通し穴から内側に侵入することを抑止するコードストッパーが設けられている。
【発明の効果】
【０００６】
本発明によれば、着用したままでコードストッパーを使用して容易に調節紐の長さ調整をすることができる。また、後身頃の襟ぐりにダーツを設け、調節紐の両端をダーツの間に縫着することにより、調節紐を縮めて開口部を形成した際に、後身頃と背中の間に筒状の空間ができ、背中から首回りを涼しくすることができる。また、調節紐としてゴム紐を使用することにより、首当たりも柔らかくすることができる。また、調節紐の自由端を襟の外側に引き出し、襟の外側でコードストッパーにより固定することで、調節紐の内側部分を短くして襟に弛みを作る。このように調節紐の長さの調節は襟の外側にあるストッパーでできるため、作業着を着用したまま調節をすることできる。
【図面の簡単な説明】
【０００７】
【図１】作業服の概略正面図である。
【図２】作業服の背面図である。
【図３】作業服を展開した状態の概略図であり、図３Ａは調節紐をゆるめた状態の説明図、図３Ｂは調節紐を縮めた状態の説明図である。
【図４】図３のＸ−Ｘ断面の調節紐部分図で、図４Ａは調節紐をゆるめた状態の説明図、図４Ｂは調節紐を縮めた状態の説明図である。
【図５】作業着を示し、図５Ａは概略正面図であり、図５Ｂは作業着の背面図である。
【図６】作業着の調節紐をゆるめる前後の状態の概略図であり、図６Ａは内側から見た図、図６Ｂは外側から見た図を示している。
【図７】他の実施例の作業着を展開した状態の概略図であり、図７Ａは内側から見た図、図７Ｂは外側から見た図を示している。
【図８】コードストッパーの一例を示す図であり、図８Ａは調節紐の自由端に設けるコードストッパーを示し、図８Ｂは紐通し穴と一体化したコードストッパーを示す。
【図９】自由端の処理についての例を示す図である。
【発明を実施するための形態】
【実施例１】
【０００８】
以下、本発明に係る作業服の一実施の形態について、図面を用いて説明する。
図１において、作業服（上着）１は前身頃２、後身頃３、袖部４、襟５を有し、前身頃２は前面を開閉できるファスナーが備えられている。後身頃３の下部の左右には、ファンを取り付ける空気取り込み口６が開口されている（図では２箇所）。作業服１は、ファンを用いて、衣服内に空気を流通させることにより、身体を冷却するもので、ファンより取り込まれた外部の空気は、衣服内側を介して襟口、袖口より排出される。
【０００９】
襟５の下方に調節紐７を設けて首回りの襟口に大きな排出口を形成している。図３は、作業服を展開した状態の概略図であり、図３Ａは調節紐をゆるめた状態の説明図、図３Ｂは調節紐を縮めた状態の説明図である。後身頃３の襟ぐりから下方に向けて、幅方向の中心線ｃから対称に離して左右に一対のダーツ８が設けられている。後身頃３の襟ぐりに近い一対のダーツ８の間隔Ｌ１は、下側の間隔Ｌ２より広い。襟ぐりの内側の中心部（中心線ｃ上が望ましい）には調節紐７を係止する紐通し環９が設けられている。
【００１０】
調節紐７は直径２〜３ｍｍ程度の棒状のゴム紐である。調節紐７は、まず、紐通し環９に通され、調節紐７の両方の端部をコードストッパー１０の開口１０ｅ、１０ｄに通される。そして、左右のダーツ８の上部において、ダーツ８を縫う際に調節紐の端部ａを襟ぐりに近いダーツ端部８ａの間に挟んで縫着により固定（固定された端部を固定端７ｂと言う）されている。コードストッパー１０はコードロックとも呼ばれているストッパーである。図３Ｃに示すように、操作部１０ａ側と本体１０ｂ側に夫々開口１０ｅ、１０ｄを有している。本体１０ｂから操作部１０ａが突出するように弾性体１０ｃが介在しており、弾性体１０ｃに抗して操作部１０ａを本体１０ｂに押し込むと両者の開口１０ｅ、１０ｄが重なって、調節紐７が通りやすくなる。一方、押し込み力を消去すると操作部１０ａは弾性体１０ｃにより復帰して両者の開口１０ｅ、１０ｄがずれてここに通された調節紐７を拘束する。弾性体１０ｃにより調節紐７の任意の位置を挟み込んで固定することができる。
【００１１】
図４は、図３のＸ−Ｘ断面の調節紐部分の説明図で、図４Ａは調節紐７をゆるめてダーツ端部８の間隔を広げた状態の説明図、図４Ｂはダーツ端部８ａの間隔を縮めた状態の説明図である。ダーツ端部８ａの間隔を短縮したときは、逆にコードストッパー１０と紐通し環９との間の調節紐７の長さが長くなる。このように、コードストッパー１０の位置を変えることにより、ダーツ端部８ａの相互の間を結ぶ調節紐の長さを任意に変更可能である。また、調節紐７自体にはできるだけ直線状になろうとする自立性があるため、調節紐７の２本分の自立性により、中心線ｃ（紐通し環９の位置）上を後ろ側へ付勢することにより、衿口の排出口を自立的に開くことができる。
【００１２】
次に、本実施例の作業服１の機能について説明する。コードストッパー１０の操作部１０ａを押し下げて、調節紐７の動きを自由にする。ダーツ端部８ａの間隔を広げると、ダーツに縫いつけてある調節紐の固定端７ｂからコードストッパー１０までが長くなって調節紐７はゆるむ。この状態では、後身頃３及び襟５に弛みができない。
【００１３】
紐通し環９とコードストッパー１０との間隔を広げると、ダーツに縫いつけてある調節紐７の固定端７ｂからコードストッパー１０の長さを短くできる。この状態では、後身頃３及び襟５に弛みができる。一対のダーツ８の間隔Ｌ１は、下側の間隔Ｌ２より広いため、ダーツ８により挟まれた部分が、背中の中央外側に半円錐状に盛り上がり、空気が通るダクトＤを形成する。また、後身頃３及び襟５と調節紐７の間に空気が通る排出口が形成される。
【００１４】
コードストッパー１０は調節紐７の任意の位置で止めることができるため、襟口の排出口の大きさを任意に変えることができる。コードストッパー１０が襟元にあるため、着用した状態で容易に変更が出来るという効果がある。また、ダーツ８があることにより後身頃３と背中の間に筒状の空間ができ、より多くの空気を首まわりに排出することが可能であり、背中から首回りを涼しくすることができる。また、一方の手でコードストッパー１０の操作部１０ａを押しながら摘まみ、他方の手で紐通し環９を摘まんで引き離すと、ダーツ８により直ちに半円錐状のダクトが、形状として作業服１に現れるため、コードストッパー１０は調節紐７の機能を容易に使用者に対して認知させることが出来る。上記実施例の作業服１としては長袖の作業服の例を示したが、半袖や、ベストの作業服であっても良い。
【実施例２】
【００１５】
図５は実施例２の作業服１を示し、図５Ａは概略正面図であり、図５Ｂは作業服１の背面図である。作業服１は、前身頃２、後身頃３、袖部４、襟５を有し、前身頃２は前面を開閉できるファスナーが備えられている。上着の下部となる後身頃３の左右には、ファンを取り付ける空気取り込み口６が開口されている（図では２箇所）。作業服１は、ファンを用いて、衣服内に空気を流通させることにより、身体を冷却するもので、ファンより取り込まれた外部の空気は、衣服内側を介して襟口、袖口より排出される。
【００１６】
襟５、前身頃２若しくは後身頃３の襟ぐりに調節紐７を設けて首回りの襟口に大きな排出口を形成している。本実施例では襟５の台襟５ａに調節紐７を設ける。図６は、作業服の調節紐をゆるめる前後の状態の概略図であり、図６Ａは内側から見た図、図６Ｂは外側から見た図を示している。図６Ａ及び図６Ｂの左側において、襟５の台襟５ａには左右の前身頃２側に二つの紐通し穴１１が設けられている。紐通し穴１１に調節紐７の両方の端部を、それぞれ左右の紐通し穴１１の外側に出す。紐通し穴１１には、ハトメ等のグロメットが取り付けられており、紐通し穴１１が破損したり摩耗したりすることを抑止している。
【００１７】
紐通し穴１１の外側に出された調節紐７の端部に対して、調節紐７の長さ途中にコードストッパー１０を取り付ける。図８にコードストッパーの例を示す。このコードストッパー１０は、操作部１０ａ側と本体１０ｂ側に夫々開口１０ｅ、１０ｄを有している。本体１０ｂから操作部１０ａが突出するように弾性体１０ｃが介在しており、弾性体１０ｃに抗して操作部１０ａを本体１０ｂに押し込むと両者の開口１０ｅ、１０ｄが重なって、調節紐７が通りやすくなる。一方、押し込み力を消去すると操作部１０ａは弾性体１０ｃにより復帰して両者の開口１０ｅ、１０ｄがずれてここに通された調節紐７を拘束して固定する。
【００１８】
図６に戻り、図６Ａ及び図６Ｂの右側には作業服１の調節紐７の内側になる部分を短くして展開した状態の概略図が示されている。調節紐７の端部を自由端７ａ（端部が固定されていない側の所定範囲）として外側に引き出し、調節紐７の内側になる部分を左右の紐通し穴１１の間の長さより短くした上で、調節紐７の自由端７ａの途中をコードストッパー１０により固定する（コードストッパー１０により固定された位置が、調節紐７の新たな固定端７ｂとなる）。コードストッパー１０は紐通し穴１１よりも大径であり、紐通し穴１１を通って襟５の内側に侵入することが出来ず、結果として短縮された調節紐７により紐通し穴１１同士の間隔が狭まる。台襟５ａに弛みができ、台襟５ａと調節紐７の間に空気が通る空間ができる。このように調節紐７の長さの調節は、台襟５ａの外側にあるコードストッパー１０の位置で行われる。作業服１を着用した状態でコードストッパー１０の位置を調節することにより、着用者はファンを動かしながら、風の量の加減を制御することが出来る。
【００１９】
調節紐７としては、若干の伸縮性を有するゴム紐を用いるのが良い。伸縮性を有することにより、コードストッパー１０による拘束がより強固になる。また、伸縮性を有する紐であれば、例えば着用者が首をのけぞらして調節紐７を押し込むときに、適当な弾発力で首に当たり首に負担をかけないという効果がある。
【実施例３】
【００２０】
図７は実施例３の作業服１の概略図であり、台襟５ａの左右一方の前身頃側にのみ紐通し穴１１を設け（実施例では左側とした）、台襟５ａの内側で右の前身頃側には調節紐７の端部が縫いつけられ固定端７ｂとされている。調節紐７のもう一方の端部は自由端７ａとして内側から紐通し穴１１に通して外側に出ている調節紐７の自由端７ａにはコードストッパー１０が設けられている。
【００２１】
上記実施例においては、コードストッパー１０としては、弾性体を利用して本体と操作部の開口により調節紐７の自由端を挟み込む構成を利用したが、他の構成でもよい。例えば、クリップのような単に上下に挟み込む構成でもよい。
【００２２】
また、コードストッパー１０を調節紐７に取り付けて、コードストッパー１０が紐通し穴１１を通過できないことを利用して、調節紐７の長さ調整を行っているが、紐通し穴１１自体が弾性力をもってして、調節紐７を固定しても良い。図８Ｂに示すコードストッパー１０は、弾性体からなるコードストッパーであり、紐通し穴１１自体に押し込まれて、調節紐７を固定する。コードストッパー１０は、調節紐７が貫通する孔１０ｆを有し、紐通し穴１１よりも大径な後端部１０ｈと、小径な先端部１０ｇとを有する先細りのテーパー状である。先端部１０ｇを紐通し穴１１に挿入して押し込むことにより、弾性体からなるコードストッパー１０が圧縮されて、コードストッパー１０の孔１０ｆの内径が縮小し、調節紐７の自由端７ａを拘束する。紐通し穴１１に取り付けられたハトメ若しくはグロメット自体に直接的にシリコンなどの弾性体により内径部分にコードストッパー１０に相当する部位を形成して、調節紐７を挿通することにより常にコードストッパー１０を圧縮状態にしておき、調節紐７の自由端７ａが内側に侵入しようとするときに大きな摩擦力が生じて動きにくくする様にしても良い。この場合において、着用時に調節紐７に加わる引張力よりも、調節紐７の長さ調整をするときの引張力が大きくなるように紐通し穴１１における弾性体の部位の材質と調節紐７の材質及び両者の径とを調整しておく。
【００２３】
図９は、自由端の処理についての例を示す図である。自由端７ａの範囲内において、コードストッパー１０の固定操作により固定端７ｂの位置が決まる。紐通し穴１１ａを紐通し穴１１に並んで追加して設け、図９に示すように自由端７ａの先端を紐通し穴１１ａに差し込んでおけば、作業服１の表側で自由端７ａがぶらつくことが無い。図９においては、紐通し穴１１ａの位置は襟ぐりの前身頃２側に設けているが、後身頃３側でも良い。
【符号の説明】
【００２４】
１    作業着
２    前身頃
３    後身頃
４    袖部
５    襟
６    空気取り込み口
７    調節紐
８    ダーツ
９    紐通し環
１０  コードストッパー
１１    紐通し穴
【図１】
2020094299.tif 000003
【図２】
2020094299.tif 000004
【図３】
2020094299.tif 000005
【図４】
2020094299.tif 000006
【図５】
2020094299.tif 000007
【図６】
2020094299.tif 000008
【図７】
2020094299.tif 000009
【図８】
2020094299.tif 000010
【図９】
2020094299.tif 000011